(57)【要約】【課題】交流及び／又は直流入力で直接駆動でき、安定した発光が得られ、低消費電力を実現し且つ非常灯としての機能を併せ持つＬＥＤを用いた照明装置、ＬＥＤを用いた照明装置の駆動回路及びＬＥＤを用いた照明装置の駆動方法を提供する。【解決手段】  脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、簡便な構成で交流及び／又は直流入力で直接駆動でき、フリッカや暗時間の問題を解決した安定した発光が得られ、整流後の平滑用キャパシタ及び大容量電解コンデンサが不要となり部品点数の削減が可能であり低コストで製造可能であり且つ長期信頼性が向上するとともに、高周波ノイズ問題がなく、高効率動作により力率（パフォーマンスファクタ）が改善されて低消費電力を実現する。【選択図】図１
2017059456.tif 000002
【特許請求の範囲】
【請求項１】
ＬＥＤを用いた照明装置であって、
複数のＬＥＤ発光素子と、これを駆動するＬＥＤ駆動回路を備え、
該ＬＥＤ発光素子は複数のＬＥＤ群に分節されたＬＥＤ列を形成し、
該ＬＥＤ列の一方端及び該ＬＥＤ群の夫々の接続部に接続点を有し、
該複数の接続端に接続される該ＬＥＤ駆動回路は、
交流を整流してＬＥＤの駆動電圧を生成する電源部と、
該他方端に接続される多段電力制御ドライバと、
該多段電力制御ドライバを制御する多段バイアス制御回路と、
該多段バイアス制御回路に接続される同期波形フィルタとを少なくとも有し、
該電源部は、交流電源を整流するダイオードブリッジを有し、
該ダイオードブリッジの整流出力の一方は該ＬＥＤ列の一端に接続され、
該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、
該多段電力制御ドライバからの出力に接続された該ＬＥＤ列の該他方端とダイオードブリッジの整流出力の一方が接続され該ＬＥＤ列の一端との間に存する該ＬＥＤ群に適正電圧と適正電流を供給するものであって、
該ＬＥＤ群に供給される交流を整流した脈流状の電圧の変動に応じたタイミングで適正な発光ＬＥＤ群の選択数を変化させることにより、
簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、部品点数の削減が可能であり低コストで製造可能で、高周波ノイズ問題がなく、高効率動作により力率（パフォーマンスファクタ）が改善されて低消費電力を実現することを特徴とする、
ＬＥＤを用いた照明装置。
【請求項２】
ＬＥＤを用いた照明装置であって、
複数のＬＥＤ発光素子と、これを駆動するＬＥＤ駆動回路を備え、
該ＬＥＤ発光素子は複数のＬＥＤ群に分節されたＬＥＤ列を形成し、
該ＬＥＤ列の一方端及び該ＬＥＤ群の夫々の接続部に接続点を有し、
該ＬＥＤ群に供給される交流を整流した脈流状の電圧の変動に応じたタイミングで適正な発光ＬＥＤ群の選択数を変化させるものであって、
該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、
簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、部品点数の削減が可能であり低コストで製造可能で、高周波ノイズ問題がなく、高効率動作により力率（パフォーマンスファクタ）が改善されて低消費電力を実現することを特徴とする、
ＬＥＤを用いた照明装置。
【請求項３】
該選択数は、該脈流状の電圧がゼロレベル電位間から増加するに従って増加され、ピークを越えて該脈流状の電圧が減少するに従って減少されることを特徴とする、
請求項２記載のＬＥＤを用いた照明装置。
【請求項４】
ＬＥＤを用いた照明装置であって、
複数のＬＥＤ発光素子と、これを駆動するＬＥＤ駆動回路を備え、
該ＬＥＤ発光素子は複数のＬＥＤ群に分節されたＬＥＤ列を形成し、
該ＬＥＤ列の一方端及び該ＬＥＤ群の夫々の接続部に接続点を有し、
該ＬＥＤ群に供給される交流を整流した脈流状の電圧の変動に応じたタイミングで適正な発光ＬＥＤ群の選択数を変化させるものであって、
該複数の接続端に接続される該ＬＥＤ駆動回路は、
交流を整流してＬＥＤの駆動電圧を生成する電源部と、
該他方端に接続される多段電力制御ドライバと、
該多段電力制御ドライバを制御する多段バイアス制御回路と、
該多段バイアス制御回路に接続される同期波形フィルタとを少なくとも有し、
該電源部は、交流電源を整流するダイオードブリッジを有し、
該ダイオードブリッジの整流出力の一方は該ＬＥＤ列の一端に接続され、
該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、
該多段電力制御ドライバからの出力に接続された該ＬＥＤ列の該他方端とダイオードブリッジの整流出力の一方が接続された該ＬＥＤ列の一端との間に存する該ＬＥＤ群に適正電圧と適正電流を供給するものであって、
該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、
簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、部品点数の削減が可能であり低コストで製造可能で、高周波ノイズ問題がなく、高効率動作により力率（パフォーマンスファクタ）が改善されて低消費電力を実現することを特徴とする、
ＬＥＤを用いた照明装置。
【請求項５】
請求項１乃至４記載のＬＥＤを用いた照明装置であって、
該電源部は入力される交流を整流した脈流にこれと位相が９０度異なった脈流を重畳する機構を含み、
これにより交流点灯に於いても点灯時の暗時間をなくし、安定した発光を実現することを特徴とする、
請求項１乃至４のうちの何れか一に記載のＬＥＤを用いた照明装置。
【請求項６】
請求項１乃至４記載のＬＥＤを用いた照明装置であって、
該電源部は、入力される交流を整流した脈流を生成し、これに外部から供給される位相が９０度異なった脈流を重畳する機構を含み、
これにより交流点灯に於いても点灯時の暗時間をなくし、安定した発光を実現することを特徴とする、
請求項１乃至４のうちの何れか一に記載のＬＥＤを用いた照明装置。
【請求項７】
該位相が９０度異なった脈流は、
入力をスイッチングレギュレータにより直流変換し、さらにこれから入力と位相が９０度異なった脈流を生成することにより得られることを特徴とする、
請求項５又は６に記載のＬＥＤを用いた照明装置。
【請求項８】
請求項１乃至７記載のＬＥＤを用いた照明装置であって、
該ＬＥＤ群は、ＬＥＤ発光素子が直列、並列或いは直列及び並列が混在する形態で接続されて形成されることを特徴とする、
請求項１乃至７のうちの何れか一に記載のＬＥＤを用いた照明装置。
【請求項９】
請求項１乃至８記載のＬＥＤを用いた照明装置であって、
該ＬＥＤ駆動回路は少なくとも過剰電圧調整回路をさらに備え、
該多段バイアス調整回路に於いて演算されるバイアスが広範囲のスライスレベル電圧領域に対応することを特徴とする、
請求項１乃至８のうちの何れか一に記載のＬＥＤを用いた照明装置。
【請求項１０】
該過剰電圧調整回路の後段には一定電圧調整回路をさらに備え、
該多段バイアス調整回路に於いて演算されるバイアスが広範囲のスライスレベル電圧領域に対応することを特徴とする、
請求項９記載のＬＥＤを用いた照明装置。
【請求項１１】
該スライスレベル電圧領域は、
１０Ｖ乃至２５０Ｖの範囲をカバーすることを特徴とする、
請求項９又は１０記載のＬＥＤを用いた照明装置。
【請求項１２】
該スライスレベルの分割数は、
２乃至３０レベルの範囲にあることを特徴とする、
請求項１乃至１１のうちの何れか一に記載のＬＥＤを用いた照明装置。
【請求項１３】
該スライスレベルの分割数は、
４乃至２０レベルの範囲にあることを特徴とする、
請求項１３に記載のＬＥＤを用いた照明装置。
【請求項１４】
該ＬＥＤを用いた照明装置は、
交流のみならず直流入力に対しても何等の変更を要さず動作することを特徴とする、
請求項１乃至１３のうちの何れか一に記載のＬＥＤを用いた照明装置。
【請求項１５】
該ＬＥＤを用いた照明装置は、
２５Ｖ以下の直流入力に対しても何等の変更を要さず動作し、
交流電源が失われた非常時に電池等により駆動可能であり、
非常灯としても機能することを特徴とする、
請求項１乃至１４のうちの何れか一に記載のＬＥＤを用いた照明装置。
【請求項１６】
ＬＥＤを用いた照明装置の駆動回路であって、
複数のＬＥＤ発光素子を駆動するＬＥＤ駆動回路が、
該ＬＥＤ発光素子は複数のＬＥＤ群に分節されたＬＥＤ列を形成し、
該ＬＥＤ列の一方端及び該ＬＥＤ群の夫々の接続部に接続点を有し、
交流を整流してＬＥＤの駆動電圧を生成する電源部と、
該他方端に接続される多段電力制御ドライバと、
該多段電力制御ドライバを制御する多段バイアス制御回路と、
該多段バイアス制御回路に接続される同期波形フィルタとを少なくとも有し、
該電源部は、交流電源を整流するダイオードブリッジを有し、
該ダイオードブリッジの整流出力の一方は該ＬＥＤ列の一端に接続され、
該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、
該多段電力制御ドライバからの出力に接続された該ＬＥＤ列の該他方端とダイオードブリッジの整流出力の一方が接続され該ＬＥＤ列の一端との間に存する該ＬＥＤ群に適正電圧と適正電流を供給するものであって、
該ＬＥＤ群に供給される交流を整流した脈流状の電圧の変動に応じたタイミングで適正な発光ＬＥＤ群の選択数を変化させることにより、
簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、部品点数の削減が可能であり低コストで製造可能で、高周波ノイズ問題がなく、高効率動作により力率（パフォーマンスファクタ）が改善されて低消費電力を実現することを特徴とする、
ＬＥＤを用いた照明装置の駆動回路。
【請求項１７】
ＬＥＤを用いた照明装置の駆動回路であって、
複数のＬＥＤ発光素子を駆動するＬＥＤ駆動回路が、
該ＬＥＤ発光素子は複数のＬＥＤ群に分節されたＬＥＤ列を形成し、
該ＬＥＤ列の一方端及び該ＬＥＤ群の夫々の接続部に接続点を有し、
該ＬＥＤ群に供給される交流を整流した脈流状の電圧の変動に応じたタイミングで適正な発光ＬＥＤ群の選択数を変化させるものであって、
該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、
簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、部品点数の削減が可能であり低コストで製造可能で、高周波ノイズ問題がなく、高効率動作により力率（パフォーマンスファクタ）が改善されて低消費電力を実現することを特徴とする、
ＬＥＤを用いた照明装置の駆動回路。
【請求項１８】
該選択数は、該脈流状の電圧がゼロレベル電位間から増加するに従って増加され、ピークを越えて該脈流状の電圧が減少するに従って減少されることを特徴とする、
請求項１７記載のＬＥＤを用いた照明装置の駆動回路。
【請求項１９】
ＬＥＤを用いた照明装置の駆動回路であって、
複数のＬＥＤ発光素子を駆動するＬＥＤ駆動回路が、
該ＬＥＤ発光素子は複数のＬＥＤ群に分節されたＬＥＤ列を形成し、
該ＬＥＤ列の一方端及び該ＬＥＤ群の夫々の接続部に接続点を有し、
該ＬＥＤ群に供給される交流を整流した脈流状の電圧の変動に応じたタイミングで適正な発光ＬＥＤ群の選択数を変化させるものであって、
該複数の接続端に接続される該ＬＥＤ駆動回路は、
交流を整流してＬＥＤの駆動電圧を生成する電源部と、
該他方端に接続される多段電力制御ドライバと、
該多段電力制御ドライバを制御する多段バイアス制御回路と、
該多段バイアス制御回路に接続される同期波形フィルタとを少なくとも有し、
該電源部は、交流電源を整流するダイオードブリッジを有し、
該ダイオードブリッジの整流出力の一方は該ＬＥＤ列の一端に接続され、
該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、
該多段電力制御ドライバからの出力に接続された該ＬＥＤ列の該他方端とダイオードブリッジの整流出力の一方が接続された該ＬＥＤ列の一端との間に存する該ＬＥＤ群に適正電圧と適正電流を供給するものであって、
該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、
簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、部品点数の削減が可能であり低コストで製造可能で、高周波ノイズ問題がなく、高効率動作により力率（パフォーマンスファクタ）が改善されて低消費電力を実現することを特徴とする、
ＬＥＤを用いた照明装置の駆動回路。
【請求項２０】
請求項１６乃至１９記載のＬＥＤを用いた照明装置の駆動回路であって、
該電源部は入力される交流を整流した脈流にこれと位相が９０度異なった脈流を重畳する機構を含み、
これにより交流点灯に於いても点灯時の暗時間をなくし、安定した発光を実現することを特徴とする、
請求項１６乃至１９のうちの何れか一に記載のＬＥＤを用いた照明装置の駆動回路。
【請求項２１】
請求項１６乃至２０記載のＬＥＤを用いた照明装置の駆動回路であって、
該電源部は、入力される交流を整流した脈流を生成し、これに外部から供給される位相が９０度異なった脈流を重畳する機構を含み、
これにより交流点灯に於いても点灯時の暗時間をなくし、安定した発光を実現することを特徴とする、
請求項１６乃至２０のうちの何れか一に記載のＬＥＤを用いた照明装置の駆動回路。
【請求項２２】
該位相が９０度異なった脈流は、
入力をスイッチングレギュレータにより直流変換し、さらにこれから入力と位相が９０度異なった脈流を生成することにより得られることを特徴とする、
請求項２０又は２１に記載のＬＥＤを用いた照明装置の駆動回路。
【請求項２３】
請求項１６乃至２２記載のＬＥＤを用いた照明装置の駆動回路であって、
該ＬＥＤ群は、ＬＥＤ発光素子が直列、並列或いは直列及び並列が混在する形態で接続されて形成されることを特徴とする、
請求項１６乃至２２のうちの何れか一に記載のＬＥＤを用いた照明装置の駆動回路。
【請求項２４】
請求項１６乃至２３記載のＬＥＤを用いた照明装置の駆動回路であって、
該ＬＥＤ駆動回路は少なくとも過剰電圧調整回路をさらに備え、
該多段バイアス調整回路に於いて演算されるバイアスが広範囲のスライスレベル電圧領域に対応することを特徴とする、
請求項１６乃至２３のうちの何れか一に記載のＬＥＤを用いた照明装置の駆動回路。
【請求項２５】
該過剰電圧調整回路の後段には一定電圧調整回路をさらに備え、
該多段バイアス調整回路に於いて演算されるバイアスが広範囲のスライスレベル電圧領域に対応することを特徴とする、
請求項２４記載のＬＥＤを用いた照明装置の駆動回路。
【請求項２６】
該スライスレベル電圧領域は、
１０Ｖ乃至２５０Ｖの範囲をカバーすることを特徴とする、
請求項２４又は２５記載のＬＥＤを用いた照明装置の駆動回路。
【請求項２７】
該スライスレベルの分割数は、
２乃至３０レベルの範囲にあることを特徴とする、
請求項１６乃至２６のうちの何れか一に記載のＬＥＤを用いた照明装置の駆動回路。
【請求項２８】
該スライスレベルの分割数は、
４乃至２０レベルの範囲にあることを特徴とする、
請求項２７に記載のＬＥＤを用いた照明装置の駆動回路。
【請求項２９】
該ＬＥＤを用いた照明装置は、
交流のみならず直流入力に対しても何等の変更を要さず動作することを特徴とする、
請求項１６乃至２８のうちの何れか一に記載のＬＥＤを用いた照明装置の駆動回路。
【請求項３０】
該ＬＥＤを用いた照明装置の駆動回路は、
２５Ｖ以下の直流入力に対しても何等の変更を要さず動作し、
交流電源が失われた非常時に電池等により駆動可能であり、
非常灯としても機能することを特徴とする、
請求項１６乃至２９のうちの何れか一に記載のＬＥＤを用いた照明装置の駆動回路。
【請求項３１】
ＬＥＤを用いた照明装置の駆動方法であって、
複数のＬＥＤ発光素子と、これを駆動するＬＥＤ駆動回路を備え、
該ＬＥＤ発光素子は複数のＬＥＤ群に分節されたＬＥＤ列を形成し、
該ＬＥＤ列の一方端及び該ＬＥＤ群の夫々の接続部に接続点を有し、
該複数の接続端に接続される該ＬＥＤ駆動回路は、
交流を整流してＬＥＤの駆動電圧を生成する電源部と、
該他方端に接続される多段電力制御ドライバと、
該多段電力制御ドライバを制御する多段バイアス制御回路と、
該多段バイアス制御回路に接続される同期波形フィルタとを少なくとも有し、
該電源部は、交流電源を整流するダイオードブリッジを有し、
該ダイオードブリッジの整流出力の一方は該ＬＥＤ列の一端に接続され、
該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、
該多段電力制御ドライバからの出力に接続された該ＬＥＤ列の該他方端とダイオードブリッジの整流出力の一方が接続され該ＬＥＤ列の一端との間に存する該ＬＥＤ群に適正電圧と適正電流を供給するものであって、
該ＬＥＤ群に供給される交流を整流した脈流状の電圧の変動に応じたタイミングで適正な発光ＬＥＤ群の選択数を変化させることにより、
簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、部品点数の削減が可能であり低コストで製造可能で、高周波ノイズ問題がなく、高効率動作により力率（パフォーマンスファクタ）が改善されて低消費電力を実現することを特徴とする、
ＬＥＤを用いた照明装置の駆動方法。
【請求項３２】
ＬＥＤを用いた照明装置の駆動方法であって、
複数のＬＥＤ発光素子と、これを駆動するＬＥＤ駆動回路を備え、
該ＬＥＤ発光素子は複数のＬＥＤ群に分節されたＬＥＤ列を形成し、
該ＬＥＤ列の一方端及び該ＬＥＤ群の夫々の接続部に接続点を有し、
該ＬＥＤ群に供給される交流を整流した脈流状の電圧の変動に応じたタイミングで適正な発光ＬＥＤ群の選択数を変化させるものであって、
該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、
簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、部品点数の削減が可能であり低コストで製造可能で、高周波ノイズ問題がなく、高効率動作により力率（パフォーマンスファクタ）が改善されて低消費電力を実現することを特徴とする、
ＬＥＤを用いた照明装置の駆動方法。
【請求項３３】
該選択数は、該脈流状の電圧がゼロレベル電位間から増加するに従って増加され、ピークを越えて該脈流状の電圧が減少するに従って減少されることを特徴とする、
請求項３２記載のＬＥＤを用いた照明装置の駆動方法。
【請求項３４】
ＬＥＤを用いた照明装置の駆動方法であって、
複数のＬＥＤ発光素子と、これを駆動するＬＥＤ駆動回路を備え、
該ＬＥＤ発光素子は複数のＬＥＤ群に分節されたＬＥＤ列を形成し、
該ＬＥＤ列の一方端及び該ＬＥＤ群の夫々の接続部に接続点を有し、
該ＬＥＤ群に供給される交流を整流した脈流状の電圧の変動に応じたタイミングで適正な発光ＬＥＤ群の選択数を変化させるものであって、
該複数の接続端に接続される該ＬＥＤ駆動回路は、
交流を整流してＬＥＤの駆動電圧を生成する電源部と、
該他方端に接続される多段電力制御ドライバと、
該多段電力制御ドライバを制御する多段バイアス制御回路と、
該多段バイアス制御回路に接続される同期波形フィルタとを少なくとも有し、
該電源部は、交流電源を整流するダイオードブリッジを有し、
該ダイオードブリッジの整流出力の一方は該ＬＥＤ列の一端に接続され、
該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、
該多段電力制御ドライバからの出力に接続された該ＬＥＤ列の該他方端とダイオードブリッジの整流出力の一方が接続された該ＬＥＤ列の一端との間に存する該ＬＥＤ群に適正電圧と適正電流を供給するものであって、
該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、
簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、部品点数の削減が可能であり低コストで製造可能で、高周波ノイズ問題がなく、高効率動作により力率（パフォーマンスファクタ）が改善されて低消費電力を実現することを特徴とする、
ＬＥＤを用いた照明装置の駆動方法。
【請求項３５】
請求項３１乃至３４記載のＬＥＤを用いた照明装置の駆動方法であって、
該電源部は入力される交流を整流した脈流にこれと位相が９０度異なった脈流を重畳する機構を含み、
これにより交流点灯に於いても点灯時の暗時間をなくし、安定した発光を実現することを特徴とする、
請求項３１乃至３４のうちの何れか一に記載のＬＥＤを用いた照明装置の駆動方法。
【請求項３６】
請求項３１乃至３４記載のＬＥＤを用いた照明装置の駆動方法であって、
該電源部は、入力される交流を整流した脈流を生成し、これに外部から供給される位相が９０度異なった脈流を重畳する機構を含み、
これにより交流点灯に於いても点灯時の暗時間をなくし、安定した発光を実現することを特徴とする、
請求項３１乃至３４のうちの何れか一に記載のＬＥＤを用いた照明装置の駆動方法。
【請求項３７】
該位相が９０度異なった脈流は、
入力をスイッチングレギュレータにより直流変換し、さらにこれから入力と位相が９０度異なった脈流を生成することにより得られることを特徴とする、
請求項３５又は３６に記載のＬＥＤを用いた照明装置の駆動方法。
【請求項３８】
請求項３１乃至３７記載のＬＥＤを用いた照明装置の駆動方法であって、
該ＬＥＤ群は、ＬＥＤ発光素子が直列、並列或いは直列及び並列が混在する形態で接続されて形成されることを特徴とする、
請求項３１乃至３７のうちの何れか一に記載のＬＥＤを用いた照明装置の駆動方法。
【請求項３９】
請求項３１乃至３８記載のＬＥＤを用いた照明装置の駆動方法であって、
該ＬＥＤ駆動回路は少なくとも過剰電圧調整回路をさらに備え、
該多段バイアス調整回路に於いて演算されるバイアスが広範囲のスライスレベル電圧領域に対応することを特徴とする、
請求項３１乃至３８のうちの何れか一に記載のＬＥＤを用いた照明装置の駆動方法。
【請求項４０】
該過剰電圧調整回路の後段には一定電圧調整回路をさらに備え、
該多段バイアス調整回路に於いて演算されるバイアスが広範囲のスライスレベル電圧領域に対応することを特徴とする、
請求項３９記載のＬＥＤを用いた照明装置の駆動方法。
【請求項４１】
該スライスレベル電圧領域は、
１０Ｖ乃至２５０Ｖの範囲をカバーすることを特徴とする、
請求項３９又は４０記載のＬＥＤを用いた照明装置の駆動方法。
【請求項４２】
該スライスレベルの分割数は、
２乃至３０レベルの範囲にあることを特徴とする、
請求項３１乃至４１のうちの何れか一に記載のＬＥＤを用いた照明装置の駆動方法。
【請求項４３】
該スライスレベルの分割数は、
４乃至２０レベルの範囲にあることを特徴とする、
請求項４３に記載のＬＥＤを用いた照明装置の駆動方法。
【請求項４４】
該ＬＥＤを用いた照明装置の駆動方法は、
交流のみならず直流入力に対しても何等の変更を要さず動作することを特徴とする、
請求項３１乃至４３のうちの何れか一に記載のＬＥＤを用いた照明装置の駆動方法。
【請求項４５】
該ＬＥＤを用いた照明装置の駆動方法は、
２５Ｖ以下の直流入力に対しても何等の変更を要さず動作し、
交流電源が失われた非常時に電池等により駆動可能であり、
非常灯としても機能することを特徴とする、
請求項３１乃至４４のうちの何れか一に記載のＬＥＤを用いた照明装置の駆動方法。
【発明の詳細な説明】
【技術分野】
【０００１】
本発明はＬＥＤを用いた照明装置、ＬＥＤを用いた照明装置の駆動回路及びＬＥＤを用いた照明装置の駆動方法に関するものである。
【背景技術】
【０００２】
発光ダイオード（ＬＥＤ素子、以下単にＬＥＤとも称する）を使用した照明装置は、蛍光灯や白熱電球といった従来の照明器具に比べ、長寿命かつ低消費電力であるという特徴を有しており、環境への配慮に優れた次世代の照明機器として期待されている。交流電源を直接的に駆動電源として用いるものでは、当該交流電源を全波整流してＬＥＤ列に供給する。
【０００３】
交流電源を半波整流した場合は交流交番波形の一方の極性（例えばプラス側）の半波のみの間歇的な脈動波形となる。一方、全波整流した場合、一方の極性（例えばプラス側）に他方の極性（マイナス側）半波が折り返した連続する脈流波形となる。交流直接駆動は、このような脈流波形を持つ電源をＬＥＤに直接印加して点灯する方式である。
【０００４】
ＬＥＤには点灯のための所定の電圧（点灯電圧）があり、点灯電圧以下では消灯となる。全波整流した脈流電圧を印加した場合に、脈流波形の電圧が上記点灯電圧以上で点灯（オン）し、それ以下の電圧では消灯（オフ）し、これを繰り返すため、この点灯から消灯、消灯から次の点灯までの期間（消灯期間）の繰り返しは所謂、フリッカ（照明光のちらつき）となる。５０Ｈｚの交流電源の場合、毎秒１００回のフリッカが発せする。
【０００５】
この消灯期間が長くなると、心理的にも不快な現象として認識される。このようなＬＥＤの点滅に伴う駆動回路の作動電流の変化は高調波を伴う電磁波として周囲に放射される。この電磁波はテレビやラジオ、医療用機器を含む様々な電子機器に干渉し、雑音の原因となる。
【０００６】
なお、このようなＬＥＤ駆動回路からの高周波雑音の発生は、現在多くのＬＥＤ照明装置が採用している直流駆動方式では極めて顕著である。直流駆動方式は、交流を平滑直流電圧に一旦変換し、ＬＥＤを所定レベルの直流にて駆動させるものである。交流電源を直流化するために用いる交直変換回路、所謂インバータ回路でのスイッチング動作に起因してエネルギーの大きな高周波が発生する。さらに、このような電源回路は素子数も多く、回路が複雑になり、コスト高となっている。また、この場合の整流回路には電解コンデンサなどの大容量のコンデンサや電圧変圧器（トランス）を必要とする。このような電気部品は、ＬＥＤと比べて寿命が短く、長寿命の照明手群であることを特徴とするＬＥＤとの組み合わせは好ましくない。
【０００７】
ＬＥＤの駆動に関する従来技術を開示したものとして、例えば、特許文献１には、直流駆動方式のＬＥＤ技術が開示されており、商用交流入力電流の高周波成分を低減させながら、直流平滑電圧で点灯させた場合と同等の光出力が得られるＬＥＤ点灯装置（ＬＥＤ駆動回路）が開示されている。
【０００８】
より具体的には、商用交流電流を全波整流する全波整流器の出力端に並列接続される第１のコンデンサと、第１のコンデンサに入力端を並列接続されるスイッチング電源回路部と、スイッチング電源回路部の出力端に接続されるＬＥＤ発光部と、ＬＥＤ発光部に並列接続される第２のコンデンサとを備え、第１のコンデンサの容量が１μＦ未満であり、第２のコンデンサはＬＥＤ発光部に流れる電流のリプル率が１未満になる容量に設定したものである。
【０００９】
一方、本発明者等は、上記した駆動回路の複雑さに起因するコストの問題を解決すべく、また、フリッカやノイズの発生の問題を解決すべく、上記のような交直変換手群を用いることなく、交流入力を全波整流するだけでＬＥＤを駆動する交流直接駆動で、フリッカ等の発生を抑制できるよう構成したＬＥＤ回路を提案した（特許文献２）。
【００１０】
特許文献２には、直列接続された複数のＬＥＤを有するＬＥＤ列を駆動するＬＥＤ駆動回路であって、交流入力を整流する整流器と。オペアンプと該オペアンプの出力群に分圧抵抗を介して接続された複数の駆動用トランジスタとを有する定電流回路とを備え、整流器の出力側の一端をＬＥＤ列の入力側に接続し、複数のトランジスタの出力側の一端をそれぞれ、ＬＥＤ列における異なるＬＥＤ群数の接続ポイントに接続することにより、交流入力の電圧に応じて複数のトランジスタが選択的にＬＥＤ列を駆動するように構成したＬＥＤ駆動回路が開示されている。
【先行技術文献】
【特許文献】
【００１１】
【特許文献１】特開２００９ー１３４９４５号公報
【特許文献２】特開２０１３ー２０９２９号公報
【発明の概要】
【発明が解決しようとする課題】
【００１２】
しかしながら、普及の促進を考慮した結果、特許文献２に開示されたＬＥＤ駆動回路においても、交流入力で直接駆動できるような回路構成を採用していることから、例えば、５０Ｈｚの交流入力電圧であれば、全波整流した毎秒１００回にも及ぶ電圧の増減に対して、より木目細やかに電流も追従可能な改善されたＬＥＤ駆動回路が望まれる。また、特に多数のＬＥＤを直列接続したＬＥＤ列を駆動する場合など、交流入力電圧の変動によりＬＥＤ列が点灯しない期間（消灯期間）が長くなってフリッカが顕著になる。  このような人の眼に感じるフリッカをさらに抑制可能なＬＥＤを用いた照明装置、ＬＥＤを用いた照明装置の駆動回路及びＬＥＤを用いた照明装置の駆動方法が求められている。総合的に、簡便な構造で、部品点数の削減が可能であり低コストで製造可能で、信頼性が高いこととともに、フリッカや暗時間の問題を解決した安定した発光が得られ、高周波ノイズ問題がなく、低消費電力化と長寿命化を実現することが求められていると言える。
【００１３】
本発明は、これらの課題を解決し、簡便な構成で交流及び／又は直流入力で直接駆動でき、フリッカや暗時間の問題を解決した安定した発光が得られ、整流後の平滑用キャパシタ及び大容量電解コンデンサが不要となり部品点数の削減が可能であり低コストで製造可能であり且つ長期信頼性が向上するとともに、高周波ノイズ問題がなく、高効率動作により力率（パフォーマンスファクタ）が改善されて低消費電力を実現するＬＥＤを用いた照明装置、ＬＥＤを用いた照明装置の駆動回路及びＬＥＤを用いた照明装置の駆動方法を提供せんとするものである。
【課題を解決するための手段】
【００１４】
本発明は、ＬＥＤを用いた照明装置であって、 複数のＬＥＤ発光素子と、これを駆動するＬＥＤ駆動回路を備え、 該ＬＥＤ発光素子は複数のＬＥＤ群に分節されたＬＥＤ列を形成し、 該ＬＥＤ列の一方端及び該ＬＥＤ群の夫々の接続部に接続点を有し、 該複数の接続端に接続される該ＬＥＤ駆動回路は、 交流を整流してＬＥＤの駆動電圧を生成する電源部と、該他方端に接続される多段電力制御ドライバと、該多段電力制御ドライバを制御する多段バイアス制御回路と、該多段バイアス制御回路に接続される同期波形フィルタとを少なくとも有し、該電源部は、交流電源を整流するダイオードブリッジを有し、該ダイオードブリッジの整流出力の一方は該ＬＥＤ列の一端に接続され、該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、該多段電力制御ドライバからの出力に接続された該ＬＥＤ列の該他方端とダイオードブリッジの整流出力の一方が接続され該ＬＥＤ列の一端との間に存する該ＬＥＤ群に適正電圧と適正電流を供給するものであって、該ＬＥＤ群に供給される交流を整流した脈流状の電圧の変動に応じたタイミングで適正な発光ＬＥＤ群の選択数を変化させることにより、簡便な構成で交流及び／又は直流入力で直接駆動でき、フリッカや暗時間の問題を解決した安定した発光が得られ、整流後の平滑用キャパシタ及び大容量電解コンデンサが不要となり部品点数の削減が可能であり低コストで製造可能であり且つ長期信頼性が向上するとともに、高周波ノイズ問題がなく、高効率動作により力率（パフォーマンスファクタ）が改善されて低消費電力を実現することを特徴とする。
【００１５】
また本発明は、ＬＥＤを用いた照明装置であって、 複数のＬＥＤ発光素子と、これを駆動するＬＥＤ駆動回路を備え、 該ＬＥＤ発光素子は複数のＬＥＤ群に分節されたＬＥＤ列を形成し、 該ＬＥＤ列の一方端及び該ＬＥＤ群の夫々の接続部に接続点を有し、該ＬＥＤ群に供給される交流を整流した脈流状の電圧の変動に応じたタイミングで適正な発光ＬＥＤ群の選択数を変化させるものであって、該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、簡便な構成で交流及び／又は直流入力で直接駆動でき、フリッカや暗時間の問題を解決した安定した発光が得られ、整流後の平滑用キャパシタ及び大容量電解コンデンサが不要となり部品点数の削減が可能であり低コストで製造可能であり且つ長期信頼性が向上するとともに、高周波ノイズ問題がなく、高効率動作により力率（パフォーマンスファクタ）が改善されて低消費電力を実現することを特徴とする。
【００１６】
また本発明は、該選択数は、該脈流状の電圧がゼロレベル電位間から増加するに従って増加され、ピークを越えて該脈流状の電圧が減少するに従って減少されることを特徴とする。
【００１７】
また本発明は、ＬＥＤを用いた照明装置であって、 複数のＬＥＤ発光素子と、これを駆動するＬＥＤ駆動回路を備え、 該ＬＥＤ発光素子は複数のＬＥＤ群に分節されたＬＥＤ列を形成し、 該ＬＥＤ列の一方端及び該ＬＥＤ群の夫々の接続部に接続点を有し、該ＬＥＤ群に供給される交流を整流した脈流状の電圧の変動に応じたタイミングで適正な発光ＬＥＤ群の選択数を変化させるものであって、該複数の接続端に接続される該ＬＥＤ駆動回路は、 交流を整流してＬＥＤの駆動電圧を生成する電源部と、該他方端に接続される多段電力制御ドライバと、該多段電力制御ドライバを制御する多段バイアス制御回路と、該多段バイアス制御回路に接続される同期波形フィルタとを少なくとも有し、該電源部は、交流電源を整流するダイオードブリッジを有し、該ダイオードブリッジの整流出力の一方は該ＬＥＤ列の一端に接続され、該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、該多段電力制御ドライバからの出力に接続された該ＬＥＤ列の該他方端とダイオードブリッジの整流出力の一方が接続された該ＬＥＤ列の一端との間に存する該ＬＥＤ群に適正電圧と適正電流を供給するものであって、該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、高効率動作により力率（パフォーマンスファクタ）が改善されて低消費電力を実現することを特徴とする。
【００１８】
また本発明は、該電源部は入力される交流を整流した脈流にこれと位相が９０度異なった脈流を重畳する機構を含み、これにより交流点灯に於いても点灯時の暗時間をなくし、フリッカや暗時間の問題を解決した安定した発光を実現することを特徴とする。
【００１９】
また本発明は、該電源部は入力される交流を整流した脈流を生成し、これに外部から供給される位相が９０度異なった脈流を重畳する機構を含み、これにより交流点灯に於いても点灯時の暗時間をなくし、フリッカや暗時間の問題を解決した安定した発光を実現することを特徴とする。
【００２０】
また本発明は、該位相が９０度異なった脈流は、入力をスイッチングレギュレータにより直流変換し、さらにこれから入力と位相が９０度異なった脈流を生成することにより得られることを特徴とする。
【００２１】
また本発明は、該ＬＥＤ群は、ＬＥＤ発光素子が直列、並列或いは直列及び並列が混在する形態で接続されて形成されることを特徴とする。
【００２２】
また本発明は、該ＬＥＤ駆動回路は少なくとも過剰電圧調整回路をさらに備え、該多段バイアス調整回路に於いて演算されるバイアスが広範囲のスライスレベル電圧領域に対応することを特徴とし、また、該多段バイアス調整回路に於いて演算されるバイアスが広範囲のスライスレベル電圧領域に対応することを特徴とする。
【００２３】
また本発明は、該スライスレベル電圧領域が１０Ｖ乃至２５０Ｖの範囲をカバーすることを特徴とし、また、該スライスレベルの分割数は、２乃至３０レベルの範囲にあることを特徴とし、さらに、該スライスレベルの分割数は、４乃至２０レベルの範囲にあることを特徴とする。
【００２４】
また本発明は、該ＬＥＤを用いた照明装置が交流のみならず直流入力に対しても何等の変更を要さず動作することを特徴とし、さらに、２５Ｖ以下の直流入力に対しても何等の変更を要さず動作し、交流電源が失われた非常時に電池等により駆動可能であり、非常灯としても機能することを特徴とする。
【００２５】
また本発明は、ＬＥＤを用いた照明装置の駆動回路であって、  複数のＬＥＤ発光素子を駆動するＬＥＤ駆動回路が、 該ＬＥＤ発光素子は複数のＬＥＤ群に分節されたＬＥＤ列を形成し、 該ＬＥＤ列の一方端及び該ＬＥＤ群の夫々の接続部に接続点を有し、 該複数の接続端に接続される該ＬＥＤ駆動回路は、交流を整流してＬＥＤの駆動電圧を生成する電源部と、該他方端に接続される多段電力制御ドライバと、該多段電力制御ドライバを制御する多段バイアス制御回路と、該多段バイアス制御回路に接続される同期波形フィルタとを少なくとも有し、該電源部は、交流電源を整流するダイオードブリッジを有し、該ダイオードブリッジの整流出力の一方は該ＬＥＤ列の一端に接続され、該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、該多段電力制御ドライバからの出力に接続された該ＬＥＤ列の該他方端とダイオードブリッジの整流出力の一方が接続され該ＬＥＤ列の一端との間に存する該ＬＥＤ群に適正電圧と適正電流を供給するものであって、該ＬＥＤ群に供給される交流を整流した脈流状の電圧の変動に応じたタイミングで適正な発光ＬＥＤ群の選択数を変化させることにより、簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、高効率動作により力率（パフォーマンスファクタ）が改善されて低消費電力を実現することを特徴とする。
【００２６】
また本発明は、ＬＥＤを用いた照明装置の駆動回路であって、  複数のＬＥＤ発光素子を駆動するＬＥＤ駆動回路が、 該ＬＥＤ発光素子は複数のＬＥＤ群に分節されたＬＥＤ列を形成し、 該ＬＥＤ列の一方端及び該ＬＥＤ群の夫々の接続部に接続点を有し、 該ＬＥＤ群に供給される交流を整流した脈流状の電圧の変動に応じたタイミングで適正な発光ＬＥＤ群の選択数を変化させるものであって、該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、高効率動作により力率（パフォーマンスファクタ）が改善されて低消費電力を実現することを特徴とする。
【００２７】
また本発明は、該選択数は、該脈流状の電圧がゼロレベル電位間から増加するに従って増加され、ピークを越えて該脈流状の電圧が減少するに従って減少されることを特徴とする。
【００２８】
また本発明は、ＬＥＤを用いた照明装置の駆動回路であって、  複数のＬＥＤ発光素子を駆動するＬＥＤ駆動回路が、 該ＬＥＤ発光素子は複数のＬＥＤ群に分節されたＬＥＤ列を形成し、 該ＬＥＤ列の一方端及び該ＬＥＤ群の夫々の接続部に接続点を有し、 該ＬＥＤ群に供給される交流を整流した脈流状の電圧の変動に応じたタイミングで適正な発光ＬＥＤ群の選択数を変化させるものであって、該複数の接続端に接続される該ＬＥＤ駆動回路は、 交流を整流してＬＥＤの駆動電圧を生成する電源部と、該他方端に接続される多段電力制御ドライバと、該多段電力制御ドライバを制御する多段バイアス制御回路と、該多段バイアス制御回路に接続される同期波形フィルタとを少なくとも有し、該電源部は、交流電源を整流するダイオードブリッジを有し、該ダイオードブリッジの整流出力の一方は該ＬＥＤ列の一端に接続され、該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、該多段電力制御ドライバからの出力に接続された該ＬＥＤ列の該他方端とダイオードブリッジの整流出力の一方が接続された該ＬＥＤ列の一端との間に存する該ＬＥＤ群に適正電圧と適正電流を供給するものであって、該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、簡便な構成で交流及び／又は直流入力で直接駆動でき、府立花や暗時間の問題を解決した安定した発光が得られ、整流後の平滑用キャパシタ及び大容量電解コンデンサが不要となり長期信頼性が向上するとともに、高効率動作により力率（パフォーマンスファクタ）が改善されて低消費電力を実現することを特徴とする。
【００２９】
また本発明は、該電源部は入力される交流を整流した脈流にこれと位相が９０度異なった脈流を重畳する機構を含み、これにより交流点灯に於いても点灯時の暗時間をなくし、安定した発光を実現することを特徴とする。
【００３０】
また本発明は、該電源部は入力される交流を整流した脈流を生成し、これに外部から供給される位相が９０度異なった脈流を重畳する機構を含み、これにより交流点灯に於いても点灯時の暗時間をなくし、安定した発光を実現することを特徴とする。
【００３１】
また本発明は、該位相が９０度異なった脈流は、入力をスイッチングレギュレータにより直流変換し、さらにこれから入力と位相が９０度異なった脈流を生成することにより得られることを特徴とする。
【００３２】
また本発明は、該ＬＥＤ群は、ＬＥＤ発光素子が直列、並列或いは直列及び並列が混在する形態で接続されて形成されることを特徴とする。
【００３３】
また本発明は、該ＬＥＤ駆動回路は少なくとも過剰電圧調整回路をさらに備え、該多段バイアス調整回路に於いて演算されるバイアスが広範囲のスライスレベル電圧領域に対応することを特徴とし、また、該多段バイアス調整回路に於いて演算されるバイアスが広範囲のスライスレベル電圧領域に対応することを特徴とする。
【００３４】
また本発明は、該スライスレベル電圧領域が１０Ｖ乃至２５０Ｖの範囲をカバーすることを特徴とし、また、該スライスレベルの分割数は、２乃至３０レベルの範囲にあることを特徴とし、さらに、該スライスレベルの分割数は、４乃至２０レベルの範囲にあることを特徴とする。
【００３５】
また本発明は、該ＬＥＤを用いた照明装置の駆動回路が交流のみならず直流入力に対しても何等の変更を要さず動作することを特徴とし、さらに、２５Ｖ以下の直流入力に対しても何等の変更を要さず動作し、交流電源が失われた非常時に電池等により駆動可能であり、非常灯としても機能することを特徴とする。
【００３６】
また本発明は、ＬＥＤを用いた照明装置の駆動方法であって、 複数のＬＥＤ発光素子と、これを駆動するＬＥＤ駆動回路を備え、 該ＬＥＤ発光素子は複数のＬＥＤ群に分節されたＬＥＤ列を形成し、 該ＬＥＤ列の一方端及び該ＬＥＤ群の夫々の接続部に接続点を有し、 該複数の接続端に接続される該ＬＥＤ駆動回路は、交流を整流してＬＥＤの駆動電圧を生成する電源部と、該他方端に接続される多段電力制御ドライバと、該多段電力制御ドライバを制御する多段バイアス制御回路と、該多段バイアス制御回路に接続される同期波形フィルタとを少なくとも有し、該電源部は、交流電源を整流するダイオードブリッジを有し、該ダイオードブリッジの整流出力の一方は該ＬＥＤ列の一端に接続され、該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、該多段電力制御ドライバからの出力に接続された該ＬＥＤ列の該他方端とダイオードブリッジの整流出力の一方が接続され該ＬＥＤ列の一端との間に存する該ＬＥＤ群に適正電圧と適正電流を供給するものであって、該ＬＥＤ群に供給される交流を整流した脈流状の電圧の変動に応じたタイミングで適正な発光ＬＥＤ群の選択数を変化させることにより、簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、高効率動作により力率（パフォーマンスファクタ）が改善されて低消費電力を実現することを特徴とする。
【００３７】
また本発明は、ＬＥＤを用いた照明装置の駆動方法であって、 複数のＬＥＤ発光素子と、これを駆動するＬＥＤ駆動回路を備え、  該ＬＥＤ発光素子は複数のＬＥＤ群に分節されたＬＥＤ列を形成し、 該ＬＥＤ列の一方端及び該ＬＥＤ群の夫々の接続部に接続点を有し、 該ＬＥＤ群に供給される交流を整流した脈流状の電圧の変動に応じたタイミングで適正な発光ＬＥＤ群の選択数を変化させるものであって、該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、高効率動作により力率（パフォーマンスファクタ）が改善されて低消費電力を実現することを特徴とする。
【００３８】
また本発明は、該選択数は、該脈流状の電圧がゼロレベル電位間から増加するに従って増加され、ピークを越えて該脈流状の電圧が減少するに従って減少されることを特徴とする。
【００３９】
また本発明は、ＬＥＤを用いた照明装置の駆動方法であって、 複数のＬＥＤ発光素子と、これを駆動するＬＥＤ駆動回路を備え、 該ＬＥＤ発光素子は複数のＬＥＤ群に分節されたＬＥＤ列を形成し、 該ＬＥＤ列の一方端及び該ＬＥＤ群の夫々の接続部に接続点を有し、 該ＬＥＤ群に供給される交流を整流した脈流状の電圧の変動に応じたタイミングで適正な発光ＬＥＤ群の選択数を変化させるものであって、該複数の接続端に接続される該ＬＥＤ駆動回路は、 交流を整流してＬＥＤの駆動電圧を生成する電源部と、該他方端に接続される多段電力制御ドライバと、該多段電力制御ドライバを制御する多段バイアス制御回路と、該多段バイアス制御回路に接続される同期波形フィルタとを少なくとも有し、該電源部は、交流電源を整流するダイオードブリッジを有し、該ダイオードブリッジの整流出力の一方は該ＬＥＤ列の一端に接続され、該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、該多段電力制御ドライバからの出力に接続された該ＬＥＤ列の該他方端とダイオードブリッジの整流出力の一方が接続された該ＬＥＤ列の一端との間に存する該ＬＥＤ群に適正電圧と適正電流を供給するものであって、該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、高効率動作により力率（パフォーマンスファクタ）が改善されて低消費電力を実現することを特徴とする。
【００４０】
また本発明は、該電源部は入力される交流を整流した脈流にこれと位相が９０度異なった脈流を重畳する機構を含み、これにより交流点灯に於いても点灯時の暗時間をなくし、安定した発光を実現することを特徴とする。
【００４１】
また本発明は、該電源部は入力される交流を整流した脈流を生成し、これに外部から供給される位相が９０度異なった脈流を重畳する機構を含み、これにより交流点灯に於いても点灯時の暗時間をなくし、安定した発光を実現することを特徴とする。
【００４２】
また本発明は、該位相が９０度異なった脈流は、入力をスイッチングレギュレータにより直流変換し、さらにこれから入力と位相が９０度異なった脈流を生成することにより得られることを特徴とする。
【００４３】
また本発明は、該ＬＥＤ群は、ＬＥＤ発光素子が直列、並列或いは直列及び並列が混在する形態で接続されて形成されることを特徴とする。
【００４４】
また本発明は、該ＬＥＤ駆動回路は少なくとも過剰電圧調整回路をさらに備え、該多段バイアス調整回路に於いて演算されるバイアスが広範囲のスライスレベル電圧領域に対応することを特徴とし、また、該多段バイアス調整回路に於いて演算されるバイアスが広範囲のスライスレベル電圧領域に対応することを特徴とする。
【００４５】
また本発明は、該スライスレベル電圧領域が１０Ｖ乃至２５０Ｖの範囲をカバーすることを特徴とし、また、該スライスレベルの分割数は、２乃至３０レベルの範囲にあることを特徴とし、さらに、該スライスレベルの分割数は、４乃至２０レベルの範囲にあることを特徴とする。
【００４６】
また本発明は、該ＬＥＤを用いた照明装置が交流のみならず直流入力に対しても何等の変更を要さず動作することを特徴とし、さらに、２５Ｖ以下の直流入力に対しても何等の変更を要さず動作し、交流電源が失われた非常時に電池等により駆動可能であり、非常灯としても機能することを特徴とする。
【発明の効果】
【００４７】
本発明に係るＬＥＤを用いた照明装置、ＬＥＤを用いた照明装置の駆動回路及びＬＥＤを用いた照明装置の駆動方法は、簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、部品点数の削減が可能であり低コストで製造可能で、高周波ノイズ問題がなく、高効率動作により力率（パフォーマンスファクタ）が改善されて低消費電力を実現するＬＥＤを用いた照明装置、ＬＥＤを用いた照明装置の駆動回路及びＬＥＤを用いた照明装置の駆動方法を提供出来、さらに交流のみならず直流入力に対しても何等の変更を要さず動作し、さらに、２５Ｖ以下の直流入力に対しても何等の変更を要さず動作し、交流電源が失われた非常時に電池等により駆動可能であり、非常灯としても機能するという利点がある。
【図面の簡単な説明】
【００４８】
【図１】図１は、本発明に係るＬＥＤを用いた照明装置及びこれに用いる駆動回路の機能を説明するための概念図である。
【図２】図２は、本発明に係るＬＥＤを用いた照明装置及びこれに用いる駆動回路の物理的な配置を説明するための概念図である。
【図３】図３は、本発明に係る脈流の電圧変化とスライスレベルの設定を説明するための概念図である。
【発明を実施するための形態】
【００４９】
以下、本発明に係るＬＥＤを用いた照明装置、ＬＥＤを用いた照明装置の駆動回路及びＬＥＤを用いた照明装置の駆動方法を図面を用いて説明する。
【実施例１】
【００５０】
図１は、本発明に係るＬＥＤを用いた照明装置及びこれに用いる駆動回路の機能を説明するための概念図である。全体がＬＥＤを用いた照明装置を概念的に表し、そのうちＬＥＤ１乃至６が電圧スライスレベルごとに設定されたＬＥＤ群を示している。ここで、本実施例に於いてはスライスレベルを６段階としているが、これは２段階以上で適宜決定すれば良い。１段階では、本発明の効果が得られないからである。また、スライスレベルを細分化していくと安定した発光が得られるようになり、さらに高効率動作により力率（パフォーマンスファクタ）が改善されて低消費電力を実現できるが、回路部品点数が増加していくため、コスト面で３０段階であることが望ましい。さらに、本発明の効果を十分に発揮し、且つコスト面での優位性を確保するために４段階乃至２０段階であることがさらに望ましい。
【００５１】
ここで、ＬＥＤ群は、ＬＥＤ発光素子が直列、並列或いは直列及び並列が混在する形態のいずれで接続されていても問題無い。
【００５２】
図１の概念図のうち、前記のＬＥＤ群を除いた部分がＬＥＤを用いた照明装置の駆動回路部分である。かかる駆動回路によってＬＥＤ群が駆動され、本発明に係るＬＥＤを用いた照明装置が機能を発揮する。
【００５３】
本実施例に於いては、該ＬＥＤ駆動回路は、 交流を整流してＬＥＤの駆動電圧を生成する電源部と、該他方端に接続される多段電力制御ドライバと、該多段電力制御ドライバを制御する多段バイアス制御回路と、該多段バイアス制御回路に接続される同期波形フィルタとを少なくとも有し、該電源部は、交流電源を整流するダイオードブリッジを有し、該ダイオードブリッジの整流出力の一方は該ＬＥＤ列の一端に接続され、該多段電力制御ドライバは整流された該ダイオードブリッジの整流出力の電圧変動に対応したバイアス出力を電圧に応じて選択された該ＬＥＤ列の前記他方端の接続点に所定のタイミングで出力し、該多段電力制御ドライバからの出力に接続された該ＬＥＤ列の該他方端とダイオードブリッジの整流出力の一方が接続され該ＬＥＤ列の一端との間に存する該ＬＥＤ群に適正電圧と適正電流を供給するものであって、該ＬＥＤ群に供給される交流を整流した脈流状の電圧の変動に応じたタイミングで適正な発光ＬＥＤ群の選択数を変化させるようにした。
【００５４】
図３は、本発明に係る脈流の電圧変化とスライスレベルの設定を説明するための概念図である。多段電力制御ドライバ１１は、本発明の機能を発現するために重要な機能を果たす。該多段電力制御ドライバは脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減する機能を有する。
【００５５】
ここで、本実施例に於いては多段電力制御ドライバにＦＥＴトランジスタ回路を用いたが、これはＦＥＴトランジスタに限定されるものではなく、バイポーラなど他のトランジスタ回路も好適に用いられる。
【００５６】
多段電力制御ドライバにはバラスト効果を発揮するエミッタ抵抗が接続されている。これは、バイポーラなど他のトランジスタ回路の場合はベース抵抗となるが、本質的な機能に差はなく、本発明の技術的範囲に含まれる。
【００５７】
前記エミッタ抵抗から一定電流制御回路１２を介して多段バイアス制御回路１３に電流値がフィードバックされ、ＬＥＤに印加される電流値が一定に制御される。
【００５８】
多段バイアス制御回路１３は、は整流された該ダイオードブリッジの整流出力の電圧変動に対応したバイアス出力を電圧に応じて選択された該ＬＥＤ列の前記他方端の接続点に所定のタイミングで出力し、該多段電力制御ドライバからの出力に接続された該ＬＥＤ列の該他方端とダイオードブリッジの整流出力の一方が接続され該ＬＥＤ列の一端との間に存する該ＬＥＤ群に適正電圧と適正電流を供給する。
【００５９】
ここで、該選択数は、該脈流状の電圧がゼロレベル電位間から増加するに従って増加され、ピークを越えて該脈流状の電圧が減少するに従って減少される。
【００６０】
該脈流状の電圧のピーク又はピーク近傍でピークより低い特定の電圧とゼロレベル電位間の電圧を複数のスライスレベルに分割し、脈流状の電圧が変動するタイミングに同期して各スライスレベルごとに該選択数を増減することにより、簡便な構成で交流及び／又は直流入力で直接駆動でき、フリッカや暗時間の問題を解決した安定した発光が得られ、整流後の平滑用キャパシタ及び大容量電解コンデンサが不要となり長期信頼性が向上するとともに、部品点数の削減が可能であり低コストで製造可能で、高周波ノイズ問題がなく、高効率動作により力率（パフォーマンスファクタ）が改善されて低消費電力を実現することができた。
【００６１】
さらに本実施例に於いては、ＬＥＤ駆動回路は少なくとも過剰電圧調整回路１４をさらに備え、該多段バイアス調整回路に於いて演算されるバイアスが広範囲のスライスレベル電圧領域に対応するようにし、また、該多段バイアス調整回路に於いて演算されるバイアスが広範囲のスライスレベル電圧領域に対応するようにした。
【００６２】
ここで、本発明に係るＬＥＤ駆動回路はスライスレベル電圧領域が１０Ｖ乃至２５０Ｖの範囲をカバーすることが出来、この範囲での入力電圧に対応することが出来る。また、本発明に係るＬＥＤ駆動回路は直流入力に対しても何等の変更を要さず動作し、２５Ｖ以下の直流入力に対しても交流電源が失われた非常時に電池等により駆動可能であるから、交流電源が失われた場合等、非常時には非常灯としても機能する。
【００６３】
図２は、本発明に係るＬＥＤを用いた照明装置及びこれに用いる駆動回路の物理的な配置を説明するための概念図である。前記の機能説明のうち、多段電力制御ドライバ１１は多段ＦＥＴ２１に対応し、一定電流制御回路１２は電流センサー２２及びオペアンプに、多段バイアス制御回路１３はバイアスラダー２３及びオペアンプに、過剰電圧調整回路１４は過剰電圧調整パワトラ２４に対応している。本実施例に於いては、かかる構成の回路を構築した。
【００６４】
本実施例に於いて、ＬＥＤを用いた照明装置に於いて簡便な構成で交流及び／又は直流入力で直接駆動でき、安定した発光が得られ、整流後の平滑用キャパシタ及び大容量電解コンデンサが不要となり長期信頼性が向上するとともに、高効率動作により力率（パフォーマンスファクタ）が改善されて低消費電力を実現することが出来た。ここで、本発明はＬＥＤを用いた照明装置のみならずＬＥＤを用いた照明装置の駆動回路及びＬＥＤを用いた照明装置の駆動方法についても技術的範囲に含む。
【実施例２】
【００６５】
本実施例に於いては、前記のＬＥＤを用いた照明装置の構成に於いて該電源部は入力される交流を整流した脈流にこれと位相が９０度異なった脈流を重畳する機構を含むように構成した。これにより、脈流電圧の変動に於いて谷間に当たるタイミングに位相が９０度異なった脈流の電圧ピークが重畳されるため、交流点灯に於いても点灯時の暗時間をなくし、安定した発光を実現することが可能となった。
【００６６】
ここで、位相が９０度異なった脈流を重畳する機構は内蔵する構成とする必要はなく、外部から供給される位相が９０度異なった脈流を重畳する機構を含むようにしてもよい。なお、本実施例に於いては該位相が９０度異なった脈流は、入力をスイッチングレギュレータにより直流変換し、さらにこれから入力と位相が９０度異なった脈流を生成することにより得たが、かかる位相変換回路は他のどのような回路構成であっても問題無い。
【００６７】
さらに、位相差は９０度に限定されるものではなく、脈流電圧の変動に於いて谷間に当たるタイミングにある程度の電圧が重畳されればよい。また、重畳される電圧は正弦波の脈流である必要はなく、三角波等も好適に用いることが出来る。
【産業上の利用可能性】
【００６８】
本発明に係るＬＥＤを用いた照明装置、ＬＥＤを用いた照明装置の駆動回路及びＬＥＤを用いた照明装置の駆動方法は、簡便な構成で交流及び／又は直流入力で直接駆動でき、安定した発光が得られ、整流後の平滑用キャパシタ及び大容量電解コンデンサが不要となり長期信頼性が向上するとともに、高効率動作により力率（パフォーマンスファクタ）が改善されて低消費電力を実現するＬＥＤを用いた照明装置、ＬＥＤを用いた照明装置の駆動回路及びＬＥＤを用いた照明装置の駆動方法を提供出来、さらに交流のみならず直流入力に対しても何等の変更を要さず動作し、さらに、２５Ｖ以下の直流入力に対しても何等の変更を要さず動作し、交流電源が失われた非常時に電池等により駆動可能であり、非常灯としても機能するという利点があり、省エネが社会全体の要請となっている現在に於いて大きな産業上の利用可能性を有しているのみならず、非常灯火としても本発明の技術を用いることにより非常に単純なリレーによって電池等の非常電源に接続することで非常灯として機能するから、その保安上の用途も非常に重要であるといえる。
【符号の説明】
【００６９】
１１    多段電力制御ドライバ
１２    一定電流制御回路
１３    多段バイアス制御回路
１４    過剰電圧調整回路
２１    多段ＦＥＴ
２２    電流センサー
２３    バイアスラダー
２４    過剰電圧調整パワトラ
３１    スライス電圧レベル
【図１】
2017059456.tif 000003
【図２】
2017059456.tif 000004
【図３】
2017059456.tif 000005
【手続補正書】
【提出日】平成27年11月15日(2015.11.15)
【手続補正１】
【補正対象書類名】明細書
【補正対象項目名】０００９
【補正方法】変更
【補正の内容】
【０００９】
一方、上記した駆動回路の複雑さに起因するコストの問題を解決すべく、また、フリッカやノイズの発生の問題を解決すべく、上記のような交直変換手群を用いることなく、交流入力を全波整流するだけでＬＥＤを駆動する交流直接駆動で、フリッカ等の発生を抑制できるよう構成したＬＥＤ回路が提案されている（特許文献２）。